(57)【要約】【課題】安全で使い勝手もよい回復式安全コンセントを提供する。【解決手段】コンセント本体には少なくとも一つの洞座と少なくともヘッドカバーが包括され、コンセント本体には絶縁体と少なくとも一つの弾性パーツが含まれ、絶縁体の表の面には内向の凹設の軌槽があり、軌槽は弾性パーツを配置し、コンセント本体は頂板とパイプを含んでおり、頂板は有数の穿孔と軸孔をうがつもので、パイプは軸孔の外周縁から延び、ヘッドカバーは活動式で洞座の頂上部に設けられ、ここにはパネルが含まれ、パネルをうがち相対応する穿孔によって、板本体から軸孔の突起バーにまで延び出しており、また板本体に滑動式の軌槽内の突起ブロックを設け、孔洞座と頂上蓋の交錯する箇所に設置する。【選択図】図４
0003131335.tif 000002
【実用新案登録請求の範囲】
【請求項１】
コンセント本体と、少なくとも一つの孔洞座および少なくとも一つのヘッドカバーが包括され、そのなかには；
当該コンセント本体で、ここには絶縁体および少なくとも一つの弾性パーツが放火され、また絶縁体の表の面には内向きの凹設した軌槽が設けられており、当該軌槽にはすべての弾性パーツが具えられ；
当該の孔洞座は、前述のコンセント本体を配置しており、ここには頂板およびパイプが含まれ、当該の頂板にはいくつかの穿孔および軸孔が配され、パイプは軸孔の外周縁から延びており；また、
当該のヘッドカバーは、活動式で孔洞座の表の面に設けられており、ここにはパネルがふくまれ、パネルに明けられた穴は前述の穿孔に相対する透孔で、パネルから伸びて前述の軸孔に配された突起バー、およびパネル面に配された上述の軌槽内で動く突起ブロックが包括されることを特徴とする回復式安全コンセント。
【請求項２】
前記絶縁体の表の面には外に向って伸びる第一ポジショニングの突起耳があることを特徴とする請求項１に記載の回復式安全コンセント。
【請求項３】
前記ヘッドカバーにはパネル外縁に突起して設けられた第二のポジショニング突起耳があることを特徴とする請求項１に記載の回復式安全コンセント。  
【請求項４】
前記弾性パーツが圧縮バネとなっていることを特徴とする請求項１に記載の回復式安全コンセント。
【請求項５】
前記弾性パーツが引っ張りバネとなっていることを特徴とする請求項１に記載の回復式安全コンセント。
【考案の詳細な説明】
【技術分野】
【０００１】
本創作は、回復式安全コンセントであって、特に孔洞座とヘッドカバーの交錯する設置を利用して、安全かつなくなりにくいという使用上の利便性を実現する。
【背景技術】
【０００２】
近代のわずか数十年の間に、電子製品は日進月歩のステップで成長を遂げており、電子製品の進歩とともに、電源コンセントに対するニーズと使用も増加している。このため、電源コンセントの安全構造も重要になっています。
一般的に、周知の伝統的なコンセントはいずれも安全保護構造を備えていない。このため、常に異物がコンセント内に挿入されると漏電発火の事態となり、それが高じて火災の状況が発生することもある；あるいは児童が導電する異物をコンセント内に挿入することで、感電事故が発生することもあり、周知の伝統コンセントには改善の必要があった。
しかし、直接に挿入設置するコンセント表の面カバーは、当該のカバーで插孔を覆うことができ、事故発生を防止できる。このカバーの使用は不便で、コンセントを使用する時は、カバーを取り外して収納せねばならず、コンセントを使用しない時は、カバーをコンセントの表の面に戻さねばならない。このためカバーは使用時になくなる可能性もあり、カバーの装着や取り外しが煩瑣であるため、不便である。
【考案の開示】
【考案が解決しようとする課題】
【０００３】
以上で述べた周知の技術欠点に鑑み、本創作の主な目的は安全でなくなりにくく、使用に便利な回復式安全コンセントを提供することにある。
【課題を解決するための手段】
【０００４】
上述の目的を達すべく、本創作では回復式安全コンセントを提供するが、ここにはコンセント本体、少なくとも一つの孔洞座および少なくとも一つのヘッドカバーが含まれ、そのなかには:
当該コンセント本体で、絶縁体および少なくとも一つの弾性パーツを含み、絶縁体の表の面には内向きにくぼんだ軌槽が設けられ、当該の軌槽にはここで述べられた弾性パーツが配されている。
当該の孔洞座は、前述のコンセント本体に配され、頂板およびパイプを包括するもので、当該の頂板にはいくつかの穿孔および軸孔が配されている。またパイプは軸孔の外周縁から延びている；および、当該ヘッドカバーは活動式で孔洞座の表の面に配され、パネルが配備されている。パネルにはいくつかの穴があいており、前述の穿孔の透孔では、パネルから伸び出して前述の軸孔に挿入された突起バー、および突起して設置されパネルの一面に配され滑動式の上述の軌槽内の突起ブロックもある。
【考案の効果】
【０００５】
孔洞座およびヘッドカバーの交錯によって設置された技術手段で、本創作は周知の欠点を克服して安全を図り、なくなりにくく、しかも使用に便利という長所を具えている。
【考案を実施するための最良の形態】
【０００６】
図１、図２および図４を参照されたい。本考案の回復式安全コンセントには、コンセント本体1が含まれ、少なくとも一つの孔洞座2および少なくとも一つのヘッドカバー3が含まれる。そのうち、当該コンセント本体1には、絶縁体11および少なくとも一つの弾性パーツ12が含まれ、当該絶縁体11の表の面には外向きに伸びた第一ポジショニング突起耳111が含まれ、絶縁体11の表の面には内向きにくぼんだ軌槽112があり、当該軌槽112には弾性パーツ12があり、当該弾性パーツ12は圧縮バネ(図６)あるいは引っ張りバネ(図７)、また絶縁体11には上向きの容置空間113がある。
【０００７】
当該孔洞座2は、前述のコンセント本体1の容置空間113のなかにはり、頂板21、複数の收容通道22および一パイプ23を包括し、当該の頂板21にはいくつかの穿孔211および軸孔212が設けられている。またパイプ23には数個の切り口231があり、このうちいくつかの收容通道22は穿孔211の外周縁から伸びてきたもので、パイプ23は軸孔212の外周縁延から延びる。
【０００８】
当該ヘッドカバー3は、活動式で孔洞座2の表の面に設けられ、パネル31、パネル31に設けられ穿孔211と相対する透孔32、パネル31から延びて前述の軸孔212の突起バー33につながりパネル31に接する滑動式の上述の軌槽112内の突起ブロック34、およびパネル31の外縁で突出している第二ポジショニングの突起耳35を包括する。
【０００９】
上述のパーツの組合構造は（図３から図４を参照）、本創作の回復式安全コンセントは主に孔洞座2でコンセント本体1の容置空間113内に置いたものを利用し、ヘッドカバー3の突起バー33は、孔洞座2の軸孔212にあわせ、パイプ23と相互活動式に旋回して配合し、またヘッドカバー3の突起ブロック34は軌槽112内に配され、当該軌槽112内の弾性パーツ12は突起ブロック34を抑えることで、ヘッドカバー3を一定の角度に旋回させ、ヘッドカバー3の透孔32と孔洞座2の穿孔211に交錯した状態を生み出す。
【００１０】
上述のパーツの使用状態は、図５から図８を参照。本創作の回復式安全コンセントは、差し込みコンセント4と互いに接し、当該差し込みコンセント4は相対して穿孔211、收容通道22および透孔32の端子41に挿す。使用時、第一ポジショニング突起耳111および第二ポジショニング突起耳35でヘッドカバー3を旋回移動させ、透孔32と穿孔211の重複状態から、差し込みコンセント4の端子41を本創作の回復式安全コンセント内に挿入する。また差し込みコンセント4の端子をコンセントから抜いた時、弾性パーツ12の弾性トップが突起ブロック34を支えることで、突起ブロック34をポジショニングし、ヘッドカバー3の透孔32と孔洞座2の穿孔211は自動的に交錯状態を回復する。図７を参照。図中のコンセント本体1の絶縁体11は、もうひとつ軌槽112内に固定設置された突起バー114だ。またコンセント本体1の弾性パーツ12は引っ張りバネで、当該の弾性パーツ12の一端は突起バー114に固定され、もう一端は突起ブロック34に固定されており、ここで述べた構造でも上述の実施例と同じ使用目的および效果を得ることができるので、ここでは改めて贅言しない。
【００１１】
付随して提起しておきたいことは、上述の実施サンプルにおいて、コンセント本体1は孔洞座2および一ヘッドカバー3の組み合わせである。当然ながら、コンセント本体1も複数の容置空間113によって容置空間113内での孔洞座2および一ヘッドカバー3(図９)の組み合わせを通じ、同時に複数の差し込みコンセント4(図８)を設けることができる。
【図面の簡単な説明】
【００１２】
【図１】本創作の外観立体図である。
【図２】本創作のもう一つの角度の外観立体図である。
【図３】本創作のヘッドカバーとその他のパーツの分離した立体分解図である。
【図４】本創作の立体分解図である。
【図５】本創作のヘッドカバーが回転する動作の意匠図である。
【図６】本創作のもう一つのヘッドカバーが回転する動作の意匠図である。
【図７】本創作が弾性パーツと置換する動作の意匠図である。
【図８】差し込みコンセントが本創作を結合した使用状態の意匠図である。
【図９】本創作のもう一つの実施形態を説明する図である。
【符号の説明】
【００１３】
１      コンセント本体
１１    絶縁体
１１１  第一ポジショニング突起耳
１１２  軌槽
１１３  容置空間
１１４  突起バー
１２    弾性パーツ
２      孔洞座
２１    頂板
２１１  穿孔
２１２  軸孔
２２    収容通道
２３    パイプ
２３１  切り口
３      ヘッドカバー
３１    パネル
３２    透孔
３３    突起バー
３４    突起ブロック
３５    第二ポジショニング突起耳
４      差し込みコンセント
４１    端子
【図１】
0003131335.tif 000003
【図２】
0003131335.tif 000004
【図３】
0003131335.tif 000005
【図４】
0003131335.tif 000006
【図５】
0003131335.tif 000007
【図６】
0003131335.tif 000008
【図７】
0003131335.tif 000009
【図８】
0003131335.tif 000010
【図９】
0003131335.tif 000011
【手続補正書】
【提出日】平成19年2月22日(2007.2.22)
【手続補正１】
【補正対象書類名】実用新案登録請求の範囲
【補正対象項目名】請求項１
【補正方法】変更
【補正の内容】
【請求項１】
コンセント本体と、少なくとも一つの孔洞座および少なくとも一つのヘッドカバーが包括され、そのなかには；
当該コンセント本体で、ここには絶縁体および少なくとも一つの弾性パーツを含み、また絶縁体の表の面には内向きの凹設した軌槽が設けられており、当該軌槽にはすべての弾性パーツが具えられ；
当該の孔洞座は、前述のコンセント本体を配置しており、ここには頂板およびパイプが含まれ、当該の頂板にはいくつかの穿孔および軸孔が配され、パイプは軸孔の外周縁から延びており；また、
当該のヘッドカバーは、活動式で孔洞座の表の面に設けられており、ここにはパネルがふくまれ、パネルに明けられた穴は前述の穿孔に相対する透孔で、パネルから伸びて前述の軸孔に配された突起バー、およびパネル面に配された上述の軌槽内で動く突起ブロックが包括されることを特徴とする回復式安全コンセント。